(57)【要約】【課題】  本発明の目的は、初心者のユーザにも操作に慣れたユーザにも操作性のよいアイテムの選択画面を提供することである。【解決手段】  少なくとも第１のグループと第２のグループとに分類された複数のアイテムを表示する表示画面を第１の表示モードと第２の表示モードとで切替可能な切替手段と、複数のアイテムのいずれかを選択する操作を受付け可能な第１の受付手段と、  第１のグループの第１のアイテムの選択時に、第１の方向へと選択アイテムを変更する所定の操作を受付けると、第１の方向の端の第２のアイテムを選択し、  第１の表示モードでは、第２のアイテムの選択時の所定の操作で、第１のグループから第１の方向に並ぶ第２のグループの第３のアイテムを選択し、  第２の表示モードでは、第２のアイテムの選択時の所定の操作で、第１のグループのアイテムを選択するように制御する制御手段とを有することを特徴とする。【選択図】  図４
2018097617.tif 000002
【特許請求の範囲】
【請求項１】
少なくとも第１のグループと第２のグループとに分類された複数のアイテムを表示する表示画面の表示モードを第１の表示モードと第２の表示モードとで切替え可能な切替手段と、
前記第１のグループと前記第２のグループに含まれるアイテムのうちいずれかを選択する操作を受付け可能な第１の受付手段と、
前記表示画面の前記表示モードが前記第１の表示モードである場合に、前記第１のグループに含まれる第１のアイテムが選択されている場合に、前記第１の受付手段が第１の方向へと選択するアイテムを変更する所定の操作を受付けたことに応じて、前記第１の方向の端に位置する第２のアイテムを選択し、前記第２のアイテムが選択されている際に、前記所定の操作が行われると、前記第１のグループから前記第１の方向に並ぶ前記第２のグループに含まれる第３のアイテムを選択するように制御し、
前記表示画面の前記表示モードが前記第２の表示モードである場合に、前記第１のグループに含まれる前記第１のアイテムが選択されている場合に、前記第１の受付手段が前記所定の操作を受付けたことに応じて、前記第２のアイテムを選択するようにし、前記第２のアイテムが選択されている際に、前記所定の操作が行われても、前記第２のグループのアイテムを選択することなく、前記第１のグループのアイテムを選択するように制御する制御手段とを有することを特徴とする電子機器。
【請求項２】
前記第１のグループと前記第２のグループのいずれかを選択する操作を受付け可能な第２の受付手段をさらに有し、
前記制御手段は、前記表示画面の表示モードが前記第１の表示モードである際に、前記表示画面とは異なる画面が表示されている場合に、前記表示画面を表示する指示がされると、前記グループの選択を受付け可能であり、前記アイテムの選択を受付け可能である前記第１の表示モードの表示画面を表示するように制御することを特徴とする請求項１に記載の電子機器。
【請求項３】
前記制御手段は、前記表示画面の表示モードが前記第２の表示モードである際に、前記表示画面とは異なる画面が表示されている場合に、前記表示画面を表示する指示がされると、前記グループの選択を受付け可能であり、前記アイテムの選択を受付けないグループ選択画面を表示し、前記グループ選択画面においてグループが選択されたことに応じて、前記アイテムの選択を受付ける前記第２の表示モードの表示画面を表示するように制御することを特徴とする請求項２に記載の電子機器。
【請求項４】
前記制御手段は、前記表示画面が前記第１の表示モードで表示されている際に、所定のボタンが選択されると撮影画面に切り替え、前記表示画面が前記第２の表示モードで表示されている際に、前記所定のボタンが選択されても前記撮影画面に切り替えず、前記グループ選択画面に切り替えるように制御することを特徴とする請求項３に記載の電子機器。
【請求項５】
前記制御手段は、前記表示画面が前記第２の表示モードである場合に、前記第２のアイテムが選択されている際に、前記所定の操作が行われたことに応じて、前記第１のグループの他のアイテムを選択するように制御することを特徴とする請求項１乃至４の何れか１項に記載の電子機器。
【請求項６】
前記制御手段は、アイテムが選択されたことに応じて、前記表示画面に選択されたアイテムに対応する複数のメニュー項目を表示するように制御することを特徴とする請求項１乃至５の何れか１項に記載の電子機器。
【請求項７】
前記第１のグループ及び前記第２のグループは、大分類を示し、前記第１のアイテム及び前記第２のアイテムは、小分類を示すことを特徴とする請求項６に記載の電子機器。
【請求項８】
前記第１のグループに含まれるアイテムが選択された際に表示される前記メニュー項目は第１の機能に関し、前記第２のグループに含まれるアイテムが選択された際に表示されるメニュー項目は第２の機能に関することを特徴とする請求項６または７に記載の電子機器。
【請求項９】
前記所定の操作は、ダイヤルの回転操作か方向を示すキー操作であることを特徴とする請求項１乃至８の何れか１項に記載の電子機器。
【請求項１０】
前記制御手段は、前記表示画面が前記第１の表示モードである場合に、前記第２のアイテムが選択されている際に、前記所定の操作が行われると、前記第２のグループに含まれるアイテムのうち前記第１の方向とは反対方向の端にあるアイテムを選択するように制御することを特徴とする請求項１乃至９の何れか１項に記載の電子機器。
【請求項１１】
前記制御手段は、前記第２のアイテムが選択されている際に、前記表示画面が前記第１の表示モードでも、前記第２の表示モードでも、前記第１の受付手段が、前記第１の方向とは反対方向へと選択するアイテムを変更する操作を受付けたことに応じて、前記第１のアイテムを選択するように制御することを特徴とする請求項１乃至１０の何れか１項に記載の電子機器。
【請求項１２】
前記第１のグループ、前記第２のグループは撮影設定、再生設定、機能設定、表示レベル設定の何れかを示すグループであることを特徴とする請求項１乃至１１の何れか１項に記載の電子機器。
【請求項１３】
前記表示画面はメニュー項目の一覧の表示される画面であることを特徴とする請求項１乃至１２の何れか１項に記載の電子機器。
【請求項１４】
前記第１の表示モードは、前記第２の表示モードよりも前記表示画面の背景が暗い色で表示されることを特徴とする請求項１乃至１３の何れか１項に記載の電子機器。
【請求項１５】
前記第１の表示モードと前記第２の表示モードとでは、前記表示画面に表示されるメニュー項目の項目名と、並び順は同じであることを特徴とする請求項１乃至１４の何れか１項に記載の電子機器。
【請求項１６】
少なくとも第１のグループと第２のグループとに分類された複数のアイテムを表示する表示画面の表示モードを第１の表示モードと第２の表示モードとで切替え可能な切替手段と、
前記第１のグループと前記第２のグループに含まれるアイテムのうちいずれかを選択する操作を受付け可能な第１の受付ステップと、
前記表示画面の前記表示モードが前記第１の表示モードである場合に、前記第１のグループに含まれる第１のアイテムが選択されている場合に、前記第１の受付手段が第１の方向へと選択するアイテムを変更する所定の操作を受付けたことに応じて、前記第１の方向の端に位置する第２のアイテムを選択し、前記第２のアイテムが選択されている際に、前記所定の操作が行われると、前記第１のグループから前記第１の方向に並ぶ前記第２のグループに含まれる第３のアイテムを選択するように制御し、
前記表示画面の前記表示モードが前記第２の表示モードである場合に、前記第１のグループに含まれる前記第１のアイテムが選択されている場合に、前記第１の受付手段が前記所定の操作を受付けたことに応じて、前記第２のアイテムを選択するようにし、前記第２のアイテムが選択されている際に、前記所定の操作が行われても、前記第２のグループのアイテムを選択することなく、前記第１のグループのアイテムを選択するように制御する制御ステップとを有することを特徴とする電子機器の制御方法。
【請求項１７】
コンピュータを、請求項１乃至１５のいずれか１項に記載された電子機器の各手段として機能させるためのプログラム。
【請求項１８】
コンピュータを、請求項１乃至１５のいずれか１項に記載された電子機器の各手段として機能させるためのプログラムを格納したコンピュータが読み取り可能な記録媒体。
【発明の詳細な説明】
【技術分野】
【０００１】
本発明は、電子機器およびその制御方法に関し、特にグループに含まれる複数のアイテムからアイテムを選択する際の技術に関する。
【背景技術】
【０００２】
複数のアイテムを表示する場合に、ユーザが所望のアイテムを探しやすいよう、アイテムをいくつかのグループにわけて表示することがある。特許文献１には、大タブに複数の小タブが所属しており、選択する小タブの移動をする際に、大タブに属する端の小タブからさらに端方向への小タブへと移動する操作がされた場合には、小タブの移動に伴って大タブの移動をすることが開示されている。
【先行技術文献】
【特許文献】
【０００３】
【特許文献１】特開２０１６−６２１２４号公報
【発明の概要】
【発明が解決しようとする課題】
【０００４】
特許文献１のように、小タブのような下位階層の移動に伴って上位階層である大タブの移動もすると、最初に操作をしていた小タブの属する大タブとは異なる大タブの小タブを選択することになる。よって、操作になれていないユーザにとっては意図せず大タブが変わるので、どの大タブに含まれる小タブを選択しているのか分からなくなってしまう。一方、小タブの移動に伴って大タブの移動が起こらないようにしてしまうと、操作に慣れているユーザにとっては、素早くタブの切り替えができなくなってしまうので、操作性が低下する可能性がある。
【０００５】
本発明は、上記の課題に鑑み、初心者のユーザにも操作に慣れたユーザにも操作性のよいアイテムの選択画面を提供することを目的とする。
【課題を解決するための手段】
【０００６】
上記目的を達成するために、本発明の電子機器は、少なくとも第１のグループと第２のグループとに分類された複数のアイテムを表示する表示画面の表示モードを第１の表示モードと第２の表示モードとで切替え可能な切替手段と、前記第１のグループと前記第２のグループに含まれるアイテムのうちいずれかを選択する操作を受付け可能な第１の受付手段と、前記表示画面の前記表示モードが前記第１の表示モードである場合に、前記第１のグループに含まれる第１のアイテムが選択されている場合に、前記第１の受付手段が第１の方向へと選択するアイテムを変更する所定の操作を受付けたことに応じて、前記第１の方向の端に位置する第２のアイテムを選択し、前記第２のアイテムが選択されている際に、前記所定の操作が行われると、前記第１のグループから前記第１の方向に並ぶ前記第２のグループに含まれる第３のアイテムを選択するように制御し、前記表示画面の前記表示モードが前記第２の表示モードである場合に、前記第１のグループに含まれる前記第１のアイテムが選択されている場合に、前記第１の受付手段が前記所定の操作を受付けたことに応じて、前記第２のアイテムを選択するようにし、前記第２のアイテムが選択されている際に、前記所定の操作が行われても、前記第２のグループのアイテムを選択することなく、前記第１のグループのアイテムを選択するように制御する制御手段とを有することを特徴とする。
【発明の効果】
【０００７】
本発明によれば、初心者のユーザにも操作に慣れたユーザにも操作性のよいアイテムの選択画面を提供することができる。
【図面の簡単な説明】
【０００８】
【図１】本発明の実施形態の構成を適用可能な装置の一例としてのデジタルカメラの外観図
【図２】本発明の実施形態の構成を適用可能な装置の一例としてのデジタルカメラの構成例を示すブロック図
【図３】表示ＵＩ（ユーザインターフェース）の表示処理を示すフローチャート
【図４】メニュー画面のやさしいＵＩ表示処理を示すフローチャート
【図５】メニュー画面の標準ＵＩ表示処理を示すフローチャート
【図６】メニュー画面における表示ＵＩの設定画面の表示例
【図７】やさしいＵＩにおけるメニュー画面の表示例
【図８】やさしいＵＩのメニューリストの表示例
【図９】標準ＵＩのメニューリストの表示例
【発明を実施するための形態】
【０００９】
以下、図面を参照して本発明の好適な実施形態を説明する。
【００１０】
図１（ａ）、（ｂ）に本発明を適用可能な撮像装置の一実施形態としてのデジタルカメラの外観図を示す。図１（ａ）はデジタルカメラ１００の前面斜視図であり、図１（ｂ）はデジタルカメラ１００の背面斜視図である。図１において、表示部２８は画像や各種情報を表示する表示部である。表示部２８はタッチ操作を受付け可能なタッチパネル７０ａと重畳、もしくは一体となって設けられる。
【００１１】
シャッターボタン６１は撮影指示を行うための操作部である。モード切替スイッチ６０は各種モードを切り替えるための操作部である。メイン電子ダイヤル７３は回転操作部材であり、このメイン電子ダイヤル７３を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７１は選択枠の移動や画像送りなどを行う回転操作部材である。十字キー７４は上、下、左、右部分をそれぞれ押し込み可能な４方向キーである。十字キー７４の押された部分に応じた操作が可能である。ＳＥＴボタン７５は、主に選択項目の決定などに用いられる押しボタンである。ＬＶボタン７８は、ライブビュー（以下、ＬＶ）のＯＮとＯＦＦを切り替えるボタンである。再生ボタン７９は、撮影モード（撮影画面）と再生モード（再生画面）とを切り替える操作ボタンである。メニューボタン７７は、撮影画面とメニュー画面とを切り替えるためのボタンである。Ｑボタン７６はクイック設定をするためのボタンであり、撮影画面においてＱボタン７６を押下すると設定値の一覧として表示されていた設定項目を選択可能になり、さらに設定項目を選択すると各設定項目の設定画面へと遷移することができるようになる。撮影モード中に再生ボタン７９を押下することで再生モードに移行し、記録媒体２００（図２に示す）に記録された画像のうち最新の画像を表示部２８に表示させることができる。電源スイッチ７２は、デジタルカメラ１００の電源のＯＮとＯＦＦとを切り替えるためのボタンである。シャッターボタン６１、メイン電子ダイヤル７３、電源スイッチ７２、サブ電子ダイヤル７１、十字キー７４、ＳＥＴボタン７５、ＬＶボタン７８、再生ボタン７９、Ｑボタン７６は、操作部７０に含まれる。ファインダ１６はレンズユニット１５０を通して得た被写体の光学像の焦点や構図の確認を行うための覗き込み型のファインダである。グリップ部９０は、ユーザがデジタルカメラ１００を構えた際に右手で握りやすい形状とした保持部である。
【００１２】
図２は、本実施形態によるデジタルカメラ１００の構成例を示すブロック図である。
【００１３】
図２において、レンズユニット１５０は、交換可能な撮影レンズを搭載するレンズユニットである。
【００１４】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞りの制御を行い、ＡＦ駆動回路３を介して、レンズ１０３の位置を変位させることで焦点を合わせる。
【００１５】
ＡＥセンサー１７は、レンズユニット１５０、クイックリターンミラー１２を通しフォーカシングスクリーン１３上に結像した被写体の輝度を測光する。
【００１６】
焦点検出部１１（ＡＦセンサー）は、クイックリターンミラー１２を介して入射する像を撮像しシステム制御部５０にデフォーカス量情報を出力する位相差検出方式のＡＦセンサーである。システム制御部５０は前記デフォーカス量情報に基づいてレンズユニット１５０を制御し、位相差ＡＦを行う。ＡＦの方法は、位相差ＡＦでなくてもよく、コントラストＡＦでもよい。また、移動差ＡＦは焦点検出部１１を用いずに、撮像部２２の撮像面で検出されたデフォーカス量に基づいて行ってもよい（撮像面位相差ＡＦ）。
【００１７】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１８】
撮影者は、ペンタプリズム１４とファインダ１６を介して、フォーカシングスクリーン１３上に結像した像を観察することで、レンズユニット１５０を通して得た被写体の光学像の焦点状態や構図の確認が可能となる。
【００１９】
フォーカルプレーンシャッター１０１（シャッター１０１）は、システム制御部５０の制御で撮像部２２の露光時間を制御するためのものである。
【００２０】
撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００２１】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２２】
メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。メモリ３２は、メモリカードなどの着脱可能な記録媒体でも、内蔵メモリであってもよい。
【００２３】
表示部２８は画像を表示するための背面モニタであり、図１（ｂ）に示すようにデジタルカメラ１００の背面に設けられている。Ｄ／Ａ変換器１９は、メモリ３２に格納されている画像表示用のデータをアナログ信号に変換して表示部２８に供給する。画像を表示するディスプレイであれば液晶方式に限らず、有機ＥＬなど他の方式のディスプレイであってもよい。
【００２４】
不揮発性メモリ５６は、システム制御部５０によって電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２５】
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２では、システム制御部５０の動作用の定数、変数、不揮発性メモリ５６から読み出したプログラム等を展開する。また、システム制御部はメモリ３２、Ｄ／Ａ変換器１９、表示部２８等を制御することにより表示制御も行う。
【００２６】
モード切替スイッチ６０は、システム制御部５０の動作モードをかんたん撮影ゾーンと応用撮影ゾーンのある静止画撮影モード、動画撮影モード、等のいずれかに切り替える。静止画撮影モードのうちのかんたん撮影ゾーンには、カメラ側でシーンの判定や設定値を設定する全自動モード、撮影の仕上がりを設定するとカメラ側で設定値を設定するクリエイティブモード、ポートレートモード、風景モード、マクロモード等が含まれる。応用撮影ゾーンには、Ｐモード（プログラムＡＥ）、Ｍモード（マニュアル）、Ａｖモード（絞り優先ＡＥ）、Ｔｖモード（シャッター優先ＡＥ）等が含まれる。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。ユーザは、かんたん撮影モードに含まれる静止画撮影モード、応用撮影モードに含まれる静止画撮影モード、動画撮影モードの中から撮影モードを選択することができる。なお、静止画撮影モードと同様に、動画撮影モードにも複数のモードが含まれていてもよい。
【００２７】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。またＡＥセンサー１７による測光も行う。
【００２８】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源スイッチ７２はデジタルカメラ１００の電源を切り替えるためのスイッチである。
【００３０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３１】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザインターフェース）を構成することができる。システム制御部５０はタッチパネル７０ａへの以下の操作、あるいは状態を検出できる。
【００３２】
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００３３】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。さらにタッチオン状態で所定以上の圧力がタッチパネル上にかかる押圧状態も検出できてもよい。
【００３４】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００３５】
次に図３を用いて本実施形態のける表示ＵＩ（ユーザインターフェース）の表示処理について説明する。この処理は、不揮発性メモリ５６に記録されたプログラムをシステムメモリ５２に展開してシステム制御部５０が実行することで実現する。なお、この処理は、デジタルカメラ１００に電源が入り、表示部２８への表示が可能になると開始する。
【００３６】
Ｓ３０１では、システム制御部５０は、撮影画面の表示ＵＩがやさしいＵＩか否かを判定する。表示ＵＩは、不揮発性メモリ５６に記録されている表示ＵＩ情報を取得することにより判定することができる。本実施形態においては、入門レベルのユーザが分かりやすくデジタルカメラ１００を操作できるようにした表示ＵＩのやさしいＵＩと、入門レベルからステップアップしたユーザに向けた表示ＵＩの標準ＵＩのいずれかからユーザが選択することができる。表示ＵＩは、撮影画面用とメニュー画面用とでそれぞれ設定可能である。やさしいＵＩと標準ＵＩは画面の表示形態（表示モード）が異なり、やさしいＵＩの方が初心者が安心して操作できるような白色系をベースにし、多彩な色で表現をした色になっている。Ｓ３０１では、撮影画面用の表示ＵＩについて判定をする。撮影画面用の表示ＵＩがやさしいＵＩであると判定した場合は、Ｓ３０２へ進み、そうでない場合、すなわち標準ＵＩであると判定した場合は、Ｓ３０３へ進む。
【００３７】
Ｓ３０２では、システム制御部５０は、撮影画面をやさしいＵＩで表示する。撮影画面の表示ＵＩは不図示であるが、撮影画面においてユーザは撮影に関するシャッター速度、絞り数値、ＩＳＯ感度等を設定することができる。やさしいＵＩの場合には背景が白色系であり、初心者のユーザにとっても設定項目が分かりやすいようにガイダンスを表示する。また、Ｔｖモードであればシャッター速度、Ａｖモードであれば絞り数値というように撮影モードによってメインとなる設定項目を設定するためのバーを予め表示する。なお、撮影モードによってメイン設定項目は異なる。
【００３８】
Ｓ３０３では、システム制御部５０は、撮影画面を標準ＵＩで表示する。標準ＵＩの場合には背景が黒色系であり、設定に慣れたユーザが素早く設定変更ができるように、設定項目の一覧がアイテムとして表示され、アイテムを選択すると設定項目を変更するためのバーなどが表示される。表示されるアイテムの数はエントリーＵＩよりも多い。
【００３９】
Ｓ３０４では、システム制御部５０は、メニューボタン７７が押下されたか否かを判定する。メニューボタンが押下されたと判定された場合は、Ｓ３０５へ進み、そうでない場合は、Ｓ３０６へ進む。
【００４０】
Ｓ３０５では、システム制御部５０は、メニュー画面（表示画面）の表示ＵＩがやさしいＵＩか否かを判定する。やさしいＵＩに設定されていると判定している場合は、Ｓ３０７へ進み、そうでない場合は、Ｓ３０８へ進む。
【００４１】
Ｓ３０６では、システム制御部５０は、表示ＵＩの表示処理を終了する操作がされたか否かを判定する。表示ＵＩの表示処理を終了は、電源がＯＦＦした時や再生画面へ遷移した時などである。表示ＵＩの表示処理を終了する操作がされたと判定した場合には、表示ＵＩの表示処理を終了し、そうでない場合には、Ｓ４０４へ戻る。なお、Ｓ３０１〜Ｓ３０４においては撮影処理を受付け可能である。
【００４２】
Ｓ３０７では、システム制御部５０は、メニュー画面をやさしいＵＩで表示する処理を行う。メニュー画面のやさしいＵＩ表示処理については図４を用いて後述する。
【００４３】
Ｓ３０８では、システム制御部５０は、メニュー画面を標準ＵＩで表示する処理を行う。メニュー画面の標準ＵＩ表示処理については図５を用いて後述する。
【００４４】
Ｓ３０９では、システム制御部５０は、メニューボタン７７が押下されたか否かを判定する。本実施形態ではやさしいＵＩにおいては、後述する分類を選択する画面（グループ選択画面）、標準ＵＩにおいてはメニューリストが表示された画面においてメニューボタン７７が押下されると、メニュー画面を抜け、撮影画面へと遷移する。Ｓ３０９においてメニューボタン７７が表示されたと判定した場合は、Ｓ３０１へ進み撮影画面を表示する処理を行い、そうでない場合は、Ｓ３１０へ進む。
【００４５】
Ｓ３１０では、システム制御部５０は、メニュー画面用の表示ＵＩを切り替える操作がされたか否かを判定する。メニュー画面の表示ＵＩを切り替える操作は、やさしいＵＩにおいても標準ＵＩにおいても、メニュー画面の後述する表示レベル設定において行うことができる。図６（ａ）〜（ｃ）にはメニュー画面における表示ＵＩの設定画面を示す。図６（ａ）に示す表示レベル設定画面６０１では表示ＵＩの設定が可能であり、撮影に関する設定項目の一覧を表示した撮影画面用の表示ＵＩと、メニュー表示用の表示ＵＩとそれぞれ設定可能である。表示レベル設定画面６０１には、撮影画面用の表示ＵＩを設定するためのメニュー項目６０２と、メニュー表示用の表示ＵＩを設定するためのメニュー項目６０３とが表示される。メニュー項目６０３を選択すると、図６（ｂ）、（ｃ）に示すメニュー画面用の表示ＵＩ設定画面６０４が表示される。メニュー項目６０５はやさしいＵＩ、メニュー項目６０６は標準ＵＩを設定するためのメニュー項目である。メニュー項目６０５にカーソルがあたると表示例６０７が表示され、メニュー項目６０６にカーソルがあたると表示例６０８が表示される。撮影画面用の表示ＵＩも同様にやさしいＵＩと標準ＵＩとを切り替えることができるが、後述する実施形態においては、メニュー画面用の表示ＵＩについて主に説明する。メニュー画面用の表示ＵＩを切り替える操作がされたと判定した場合は、Ｓ３１１へ進み、そうでない場合は、Ｓ３０９へ戻る。
【００４６】
Ｓ３１１では、システム制御部５０は、Ｓ３１０において切り替えられた表示ＵＩを不揮発性メモリ５６に記憶し、Ｓ３０５へ進む。
【００４７】
次に図４を用いてメニュー画面のやさしいＵＩ表示処理について説明する。この処理は、不揮発性メモリ５６に記録されたプログラムをシステムメモリ５２に展開してシステム制御部５０が実行することで実現する。なお、この処理は、図３のＳ３０７へ進むと開始する。なお、以下の処理では、メニュー画面ではなく撮影画面での設定変更処理として説明する。
【００４８】
Ｓ４０１では、システム制御部５０は、メニュー画面におけるメニュー項目の分類のうち、撮影設定が選択されているか否かを判定する。メニュー画面には、様々な設定項目が含まれており、撮影に関するメニュー項目、再生に関するメニュー項目、機能に関するメニュー項目、表示レベルに関するメニュー項目とで分類をしている。図７（ａ）〜（ｈ）はやさしいＵＩにおけるメニュー画面の表示例である。図７（ａ）〜（ｈ）の分類選択画面７０１には、撮影設定７０２、再生設定７０３、機能設定７０４、表示レベル設定７０５の４つの分類に対応するアイテムが表示されている。メニュー画面において、メニュー項目は分類されたグループ毎に表示され、各分類を選択することにより表示するメニュー項目も切り替えることができる。つまり、メニュー項目の分類のうち撮影設定が選択されると撮影設定に分類される（撮影設定の機能に関する）メニュー項目の一覧が表示され、再生設定が選択されると再生設定に分類される（再生設定の機能に関する）メニュー項目の一覧が表示される。分類選択画面はメニュー画面のうち、メニュー項目の分類を選択するための（上位階層の画面）画面である。選択された分類に対応するアイテム（７０２〜７０５のいずれか）は、フォーカスがあたった状態で表示される。選択されていない設定は、図７（ａ）の再生設定７０３、機能設定７０４、表示レベル設定７０５のように分類選択画面７０１の背景色と同じ白色系で表示されるが、選択中の撮影設定７０２は赤色で背景色に対して目立つ色で表示される。撮影設定が選択されている。図７（ａ）のように撮影設定７０２が選択されていると判定した場合は、Ｓ４０２へ進み、そうでない場合は、Ｓ４１１へ進む。
【００４９】
Ｓ４０２では、システム制御部５０は、現在の撮影状態が静止画ファインダ撮影であるか否かを判定する。静止画ファインダ撮影は、撮影モードが静止画モードに設定されており、かつファインダで光学像が見える状態で撮影を行うファインダ撮影である撮影状態のことである。撮影状態が静止画ファインダ撮影であると判定した場合は、Ｓ４０３へ進み、そうでない場合は、Ｓ４０６へ進む。Ｓ４０２〜Ｓ４１０は、撮影設定が選択された際のガイダンスを表示する処理である。撮影設定が選択された場合には、撮影モードの種類と撮影状況により設定可能なメニュー項目の数や種類が異なるので、撮影設定に関するガイダンスの種類も異なる。よって、Ｓ４０２〜Ｓ４１０では、撮影モードの種類を判定した上で適切なガイダンスを表示する処理を行う。
【００５０】
Ｓ４０３では、システム制御部５０は、現在設定中の撮影モードがかんたん撮影ゾーンの撮影モードであるか否かを判定する。かんたん撮影ゾーンの撮影モードであると判定した場合は、Ｓ４０４へ進み、そうでない場合は、Ｓ４０５へ進む。
【００５１】
Ｓ４０４では、システム制御部５０は、図７（ａ）の分類選択画面７０１のガイダンス７０７に示すような静止画ファインダ撮影、かつ、撮影モードがかんたん撮影ゾーンに含まれる場合のガイダンスを表示する。ガイダンス７０７には、記録画質など、静止画撮影に関する設定ができる旨が示される。また、ガイダンス７０７と共に、背面の表示部２８にファインダ撮影時の撮影画面例が表示されたデジタルカメラの表示例と被写体の様子、設定画面の例を示したアイテム７０６を表示する。アイテム７０６を表示することでユーザが、現在の撮影状況がファインダ撮影であり、撮影に関する設定ができることを把握しやすくなる。
【００５２】
Ｓ４０５では、システム制御部５０は、図７（ｂ）の分類選択画面７０１のガイダンス７０８に示すような静止画ファインダ撮影、かつ、撮影モードが応用撮影ゾーンに含まれる場合のガイダンスを表示する。ガイダンス７０８には、記録画質や色あい（ホワイトバランス）など静止画撮影に関する設定ができる旨が示される。また、ガイダンス７０８と共に、アイテム７０６を表示する。
【００５３】
Ｓ４０６では、システム制御部５０は、現在の撮影状態が静止画ライブビュー（ＬＶ）撮影であるか否かを判定する。静止画ライブビュー撮影は、撮影モードが静止画モードに設定されており、かつ表示部２８に撮像画像が表示された状態で撮影を行うライブビュー撮影である撮影状態のことである。撮影状態が静止画ライブビュー撮影であると判定した場合は、Ｓ４０７へ進み、そうでない場合は、Ｓ４１０へ進む。
【００５４】
Ｓ４０７では、システム制御部５０は、現在設定中の撮影モードがかんたん撮影ゾーンの撮影モードであるか否かを判定する。かんたん撮影ゾーンの撮影モードであると判定した場合は、Ｓ４０８へ進み、そうでない場合は、Ｓ４０９へ進む。
【００５５】
Ｓ４０８では、システム制御部５０は、図７（ｃ）の分類選択画面７０１のガイダンス７１０に示すような静止画ライブビュー撮影、かつ、撮影モードがかんたん撮影ゾーンに含まれる場合のガイダンスを表示する。ガイダンス７１０には、記録画質など、ライブビュー撮影に関する設定ができる旨が示される。また、ガイダンス７１０と共に、背面の表示部２８に撮影画像例が表示されたデジタルカメラの表示例と被写体の様子、設定画面の例を示したアイテム７０９を表示する。アイテム７０９を表示することでユーザが、現在の撮影状況がライブビュー撮影であり、撮影に関する設定ができることを把握しやすくなる。
【００５６】
Ｓ４０９では、システム制御部５０は、図７（ｄ）の分類選択画面７０１のガイダンス７１１に示すような静止画ファインダ撮影、かつ、撮影モードが応用撮影ゾーンに含まれる場合のガイダンスを表示する。ガイダンス７１１には、記録画質や色あい（ホワイトバランス）などライブビュー撮影に関する設定ができる旨が示される。また、ガイダンス７１１と共に、アイテム７０９を表示する。
【００５７】
Ｓ４１０では、システム制御部５０は、Ｓ４０２とＳ４０６においてＮｏと判定されたので動画撮影モードに関するガイダンスを表示する処理を行う。Ｓ４１０では、図７（ｅ）の分類選択画面７０１のガイダンス７１３に示すような動画撮影モードの場合のガイダンスを表示する。ガイダンス７１３には、動画記録サイズや録音など、動画撮影に関する設定ができる旨が示される。また、ガイダンス７１３と共に、背面の表示部２８に撮影画像例とＲＥＣマーク（動画記録中を示すマーク）が表示されたデジタルカメラの表示例と被写体の様子、設定画面の例を示したアイテム７１２を表示する。アイテム７１２を表示することでユーザが、現在の撮影状況（撮影モード）が動画撮影モードであり、撮影に関する設定ができることを把握しやすくなる。
【００５８】
Ｓ４１１では、システム制御部５０は、メニュー画面におけるメニュー項目の分類のうち、再生設定が選択されているか否かを判定する。再生設定が選択されている場合には、図７（ｆ）に示すように再生設定７０３にフォーカスがあたる。選択中の再生設定７０３は、青色で背景色に対して目立つ色で表示される。また撮影設定が選択された時の赤色とは異なる色でフォーカスされていることを表現するので、ユーザはメニュー画面において異なる設定の種類があることをより認識しやすくなる。再生設定が選択されていると判定した場合は、Ｓ４１２へ進み、そうでない場合は、Ｓ４１３へ進む。
【００５９】
Ｓ４１２では、システム制御部５０は、図７（ｅ）の分類選択画面７０１のガイダンス７１５に示すような再生設定についてのガイダンスを表示する。ガイダンス７１５には、撮影した静止画や動画の再生に関する設定や、編集ができる旨が示される。また、ガイダンス７１５と共に、表示部に表示された再生画像と共に画像の保護を示すカギマーク、お気に入りを示す星マーク、編集を示す筆マークを示したアイテム７１４を表示する。アイテム７１４を表示することでユーザが、画像の保護、お気に入り登録、編集を行うことができることを把握しやすくなる。
【００６０】
Ｓ４１３では、システム制御部５０は、メニュー画面におけるメニュー項目の分類のうち、機能設定が選択されているか否かを判定する。機能設定が選択されている場合には、図７（ｇ）に示すように再生設定７０３にフォーカスがあたる。選択中の再生設定７０３は、黄色で背景色に対して目立つ色で表示される。機能設定においても、撮影設定の選択時の赤色や、再生設定の選択時の青色とは異なる色でフォーカスされていることを表現する。機能設定が選択されていると判定した場合は、Ｓ４１４へ進み、そうでない場合は、Ｓ４１５へ進む。
【００６１】
Ｓ４１４では、システム制御部５０は、図７（ｇ）の分類選択画面７０１のガイダンス７１７に示すような機能設定についてのガイダンスを表示する。ガイダンス７１７には、無線機能や液晶の明るさ、カード初期化など、カメラのさまざまな設定ができる旨が示される。また、ガイダンス７１７と共に、時計を示すアイテム、無線を示すアイテム、カードを示すアイテムを含むアイテム７１６を表示する。アイテム７１６を表示することでユーザが、時間、無線、記録に関する設定ができることを把握しやすくなる。
【００６２】
Ｓ４１５では、システム制御部５０は、Ｓ４１３においてＮｏと判定されたので、表示レベルに関するガイダンスを表示する処理を行う。Ｓ４１５では、図７（ｈ）の分類選択画面７０１のガイダンス７１９に示すような表示レベル設定についてのガイダンスを表示する。ガイダンス７１９には、自分のレベルや好みに合わせて画面の表示方法が選べる旨が示される。また、ガイダンス７１９と共に、やさしいＵＩにおける撮影画面と標準ＵＩにおける撮影画面とを示す矢印と共に示したアイテム７１８を表示する。アイテム７１８を表示することでユーザが、やさしいＵＩと標準ＵＩを切り替えるような設定ができることを把握しやすくなる。
【００６３】
Ｓ４１６では、システム制御部５０は、メニュー項目の分類のうち、選択中の分類を示すアイテムにフォーカス表示をする。アイテムのフォーカス表示は、Ｓ４０１、Ｓ４１１、Ｓ４１３で上述したように、選択された設定を示すアイテムにフォーカス表示をする。撮影設定の分類が選択されていれば図７（ａ）の分類選択画面７０１のように撮影設定７０２にフォーカス（赤色で表示）をし、再生設定が選択されていれば図７（ｆ）の分類選択画面７０１のように再生設定７０３にフォーカス（青色で表示）をする。機能設定が選択されていれば図７（ｇ）の分類選択画面７０１のように機能設定７０４にフォーカス（黄色で表示）をし、表示レベル設定がされていれば図７（ｈ）の分類選択画面７０１のように表示レベル設定７０５にフォーカス（緑色で表示）をする。なお、選択されていない分類を示すアイテムは前述したように背景色と同じ白色系の色で表示される。
【００６４】
Ｓ４１７では、システム制御部５０は、ＯＫボタンの選択がされたか否かを判定する。ＯＫボタンは、図７（ａ）〜（ｈ）の分類選択画面７０１に表示されるＯＫボタン７２０へのタッチ、もしくはＳＥＴボタン７５の押下によって選択することができる。ＯＫボタンの選択がされたと判定した場合は、Ｓ４２０へ進み、そうでない場合は、Ｓ４１８へ進む。
【００６５】
Ｓ４１８では、システム制御部５０は、メニューボタン７７の押下がされたか否かを判定する。メニューボタン７７の押下がされたと判定された場合は、メニュー画面のやさしいＵＩ表示を終了し、そうでない場合は、Ｓ４１９へ進む。Ｓ４１８は、メニュー画面（分類選択画面）から撮影画面へと抜ける操作がされたか否かを判定しているものであるが、電源のＯＦＦや再生画面の表示等によってもメニュー画面のやさしいＵＩ表示処理は終了する。
【００６６】
Ｓ４１９では、システム制御部５０は、メニュー項目の分類を切り替える操作がされたか否かを判定する。メニュー項目の切り替えは、Ｑボタン７６の押下、各分類に対応する選択されていないアイテムへのタッチ操作によって行うことができる。メニュー項目の分類を切り替える操作がされたと判定した場合は、Ｓ４０１へ進み、そうでない場合は、Ｓ４１７へ進む。
【００６７】
Ｓ４２０では、システム制御部５０は、図８（ａ）〜（ｄ）、（ｆ）〜（ｉ）に示すようなやさしいＵＩのメニューリスト８０１を表示する。メニューリストはメニュー画面のうち、メニュー項目の分類がされた後に表示されるメニュー項目が表示された（分類選択画面よりも下位階層の画面）画面である。メニュー項目の数は、選択された分類によっても異なり、さらにメニュー項目の数によっては、複数のタブ（Ｔ１〜Ｔ６のいずれか、小タブ）に分けてメニュー項目が表示される。図８（ａ）に示すメニューリスト８０１は、静止画ファインダ撮影、かつ、撮影モードがかんたん撮影ゾーンの場合のメニューリストの表示例を示しており、タブは１つで、タブ１にはメニュー項目８０２〜８０７が表示される。メニューリスト８０１には、選択された分類を示す分類名８２８に撮影設定が表示されるが、選択されていない分類名及び分類を示すアイテムは表示されない。また、図８（ａ）と同じく静止画ファインダ撮影、かつ、撮影モードがかんたん撮影ゾーンの場合に、メニュー項目の分類として再生設定が選択された場合には、図８（ｉ）に示すメニューリスト８０１のように、メニュー項目８１９〜８２４が表示される。図８（ｉ）では、分類名８２８に再生設定が表示される。
【００６８】
さらに撮影設定の場合には撮影モードと撮影状況によっても表示されるメニュー項目の種類が異なる。図８（ｂ）に示すメニューリスト８０１は、静止画ファインダ撮影、かつ、撮影モードが応用撮影ゾーンの場合のメニューリストの表示例を示しており、タブは５つで、タブ１にはメニュー項目８０２〜８０４、８０８〜８０９が表示される。図８（ｃ）のメニューリスト８０１は、静止画ライブビュー撮影、かつ、撮影モードがかんたん撮影ゾーンの場合のメニューリストの表示例を示しており、タブは２つで、タブ１にはメニュー項目８０２〜８０５が表示される。図８（ｄ）のメニューリスト８０１は静止画ファインダ撮影、かつ、撮影モードが応用撮影ゾーンの場合のメニューリストの表示例を示しており、タブは６つで、タブ１にはメニュー項目８０２〜８０４、８０８〜８０９が表示される。このようにメニューリストは、選択されたメニュー項目の分類によって異なるメニュー項目が表示され、さらに撮影設定が選択された場合には、撮影モードと撮影状況によってもメニューリストに表示されるメニュー項目が異なる。やさしいＵＩのメニュー画面において、分類選択画面においては全ての分類の種類が分かるように表示をしていたが、撮影設定が設定された後は、撮影設定以外の分類については表示をしない。
【００６９】
Ｓ４２１では、システム制御部５０は、選択中のタブと選択中のメニュー項目をフォーカス表示する。つまり、例えば図７（ｂ）のメニューリスト８０１において撮影設定のタブ１が選択されている場合には、タブ１（Ｔ１）を赤色で、その他のタブ２〜５（Ｔ２〜Ｔ５）を背景色と同じ白色系の色で示すことでフォーカス表示をする。また、メニュー項目８０２にカーソル８２５を表示する。カーソル８２５は選択されている分類に関わらず、やさしいＵＩであれば黒色系、標準ＵＩであれはグレー系の色で表示される。フォーカス表示するメニュー項目は、最後にそのタブが表示された時にカーソルが当たっていたメニュー項目でもよいし、そのタブを表示した後ユーザから選択するメニュー項目の切り替え操作がない限りは一番上のメニュー項目を選択した状態にしておいてもよい。
【００７０】
Ｓ４２２では、システム制御部５０は、選択中のメニュー項目の分類において、表示するタブの変更操作（アイテム選択）がされたか否かを判定する。選択中のメニュー項目の分類におけるタブの変更操作は、メイン電子ダイヤル７３の回転操作、十字キー７４の左右キーの押下、表示中のタブ１〜５へのタッチにより行うことができる。いずれかの操作がされたと判定した場合は、Ｓ４２３へ進み、そうでない場合は、Ｓ４２４へ進む。図８（ｂ）のメニューリスト８０１においてタブ１が選択された状態で、メイン電子ダイヤル７３が右回転されるとタブ２、３、４、５の順番に操作量に応じてタブ（小タブ）が選択され、タブ５が選択された状態でさらに右回転されるとタブ１が選択されるようになる。なお、上述したようにタブの数は、選択された分類等によって変わるので必ずしも５つあるとは限らないが、端のタブが選択されている状態でさらに同方向の端へと移動する指示がされると（同じ分類内の）反対の端のタブが選択される。つまり、右端のタブ選択状態での右方向への移動指示がされると左端のタブが、左端のタブ選択状態での左方向への移動指示がされると右端のタブが選択される。
【００７１】
Ｓ４２３では、システム制御部５０は、Ｓ４２２で行われたタブを変更する操作により、変更するタブとメニューリストに関する情報を取得する。図８（ｂ）のメニューリスト８０１においてタブ１が選択された状態において、例えば十字キー７４の右キーが押下された場合には、タブ２が選択されたことと、タブ２に含まれるメニュー項目、選択されるメニュー項目について取得する。つまり、図８（ｆ）に示すようなメニューリスト８０１のタブ２に表示されるメニュー項目８１０〜８１５に関する情報を取得する。そして、Ｓ４２０へ進み、Ｓ４２０においてＳ４２３で取得してメニューリストの表示と、さらにＳ４２１においてフォーカス表示をする。図８（ｆ）のメニューリスト８０１においては、タブ２（Ｔ２）がフォーカス表示され、さらにメニュー項目８１０にカーソル８２５が表示された状態でメニュー項目８１０〜８１５が表示される。また、図８（ｃ）のメニューリスト８０１においてタブ１が選択された状態において、タブ２が選択された場合には、図８（ｇ）のメニューリスト８０１に示すようにタブ２にフォーカスがあたり、さらにメニュー項目８１６〜８１８が表示される。撮影設定の場合には、撮影モードと撮影設定によって、タブ２において表示されるメニュー項目の種類や数は異なる。
【００７２】
Ｓ４２４では、システム制御部５０は、選択するメニュー項目の切り替え操作がされたか否かを判定する。選択するメニュー項目の切り替え操作は、サブ電子ダイヤル７１の回転操作、十字キー７４の上下キーの押下、メニューリスト内に表示されているメニュー項目へのタッチ操作により行うことができる。選択するメニュー項目の切り替え操作がされたと判定した場合は、Ｓ４２５へ進み、そうでない場合は、Ｓ４２６へ進む。
【００７３】
Ｓ４２５では、システム制御部５０は、Ｓ４２４において選択されたメニュー項目をフォーカス表示する。つまり、選択されたメニュー項目にカーソル８２５を表示する。図８（ａ）のメニューリスト８０１においてメニュー項目８０２にカーソル８２５が表示されている状態で、メニュー項目８０６がタッチされるとメニュー項目８０６にカーソル８２５が表示される。
【００７４】
Ｓ４２６では、システム制御部５０は、メニュー項目の決定操作がされたか否かを判定する。メニュー項目の決定操作は、カーソルが表示されている項目へのタッチ操作、または、ＳＥＴボタン７５の押下により行うことができる。メニュー項目の決定操作がされたと判定した場合は、Ｓ４２７へ進み、そうでない場合は、Ｓ４３０へ進む。
【００７５】
Ｓ４２７では、システム制御部５０は、Ｓ４２６において決定したメニュー項目に関する設定を行う設定画面を表示する。図８（ａ）のメニューリスト８０１においてカーソル８２５がメニュー項目８０３に表示されている場合に、ＳＥＴボタン７５が押下された場合には、図８（ｅ）の設定画面８２６に示すような設定画面が表示される。設定画面８２６にはメニュー項目８０３が表示部２８の左領域に表示され、設定候補８０３ａ〜８０３ｅが右領域に表示されている。
【００７６】
Ｓ４２８では、システム制御部５０は、Ｓ４２７において表示された設定画面において行われた操作に応じたメニュー項目の設定を行う。つまり、図８（ｅ）に示す設定画面８２６において設定候補８０３ｂが選択されると、メニュー項目８０３の撮影画像の確認時間として８０３ｂの示す２秒が設定される。設定候補の設定は、タッチ操作や十字キー７４の上下キーの押下によって行うことができ、設定された設定候補にはカーソルが表示される。
【００７７】
Ｓ４２９では、システム制御部５０は、メニュー項目の設定を確定する操作がされたか否かを判定する。メニュー項目の設定を確定する操作は、ＳＥＴボタン７５の押下またはカーソルの当たっている設定候補へのタッチで行うことができる。メニュー項目の設定を確定する操作がされたと判定した場合は、Ｓ４３０へ進み、そうでない場合は、Ｓ４２８へ進んで再び操作に応じたメニュー項目の設定を行う。
【００７８】
Ｓ４３０では、システム制御部５０は、メニューリストから分類選択画面へ遷移する操作がされた（上位階層への移動）か否かを判定する。メニューリストから分類選択画面への遷移は、メニューボタン７７が押下されたか、図８（ａ）〜（ｄ）、（ｆ）〜（ｉ）のメニューリスト８０１に表示されるメニューボタン８２７へのタッチがされることにより行われる。メニューリストから分類選択画面へ遷移する操作がされたと判定した場合は、Ｓ４０１へ進み、そうでない場合は、Ｓ４２２へ進む。Ｓ４３０でＹｅｓと判定されると、Ｓ４０１〜Ｓ４１９の分類選択画面の表示に関する処理を行うが、Ｓ４３０においてＹｅｓと判定されない限りは、同じ分類に含まれるメニュー項目が表示されたままである。
【００７９】
図４で説明したやさしいＵＩのメニュー画面では、まず分類選択画面においてメニュー項目の分類を選択した後に、選択した分類のメニューリストを表示する。さらに、メニューリストが表示されるとタブの切り替え操作をすることにより、表示部２８に表示するメニュー項目を切り替えることができる。やさしいＵＩを選択したユーザはメニュー項目について熟知しているわけではないので、メニュー項目の一覧が表示されると、表示されたメニュー項目の一覧が何に関するものか分からず、所望の設定を出来ない可能性がある。メニューリストの表示前に分類選択画面を表示することで、ユーザはこれからどのようなことに関するメニュー項目の設定ができるのか確認でき、選択操作（Ｓ４１７）をした上でメニューリストを見るのでメニューリストの内容を把握しやすくなる。メニューリストが表示された際に、タブの移動をするとタブの並びで右端にあるタブから、さらに右方向に選択するタブを変更しようとしても同じ分類内の左端のタブに移動し、他の分類には移動しない。よって、最初に分類を選択した後、タブの移動に伴って分類が変わってしまうことがなく、初心者のユーザが混乱する可能性が低くなる。
【００８０】
次に図５を用いてメニュー画面の標準ＵＩ表示処理について説明する。この処理は、不揮発性メモリ５６に記録されたプログラムをシステムメモリ５２に展開してシステム制御部５０が実行することで実現する。
【００８１】
Ｓ５０１では、システム制御部５０は、図９（ａ）、（ｃ）〜（ｄ）の標準ＵＩのメニューリスト９０１に示すようなメニューリストを表示する。標準ＵＩにおいてメニュー画面の背景は黒色系で表示される。メニューリストには、撮影設定９０２、再生設定９０３、機能設定９０４、表示レベル設定９０５、マイメニュー設定９０６のメニュー項目の分類を示すアイテム（大タブ）が横に並んで表示されている。さらに図３の処理で説明をしたように、選択された分類の中で横に並んでタブ（小タブ）が表示され、選択されたタブ毎に表示されるメニュー項目が変わる。タブの数やメニュー項目の種類については、やさしいＵＩでも標準ＵＩでも同じである。図９（ａ）の標準ＵＩのメニューリスト９０１は、図８（ａ）のやさしいＵＩのメニューリストに対応し、図９（ｂ）の標準ＵＩの設定画面９０７は、図８（ｅ）のやさしいＵＩの設定画面８２６に対応し、それぞれ同じメニュー項目及び設定候補が表示される。図９（ｃ）の標準ＵＩにおけるメニューリスト９０１は、図８（ｈ）のやさしいＵＩのメニューリスト８０１に対応し、図９（ｄ）の標準ＵＩのメニューリスト９０１は、図８（ｄ）のやさしいＵＩのメニューリスト８０１に対応する。標準ＵＩとやさしいＵＩとで対応するメニューリストで表示されるメニュー項目は同じだが、標準ＵＩにおいてはメニュー項目の分類が全て（９０２〜９０６）表示される。
【００８２】
Ｓ５０２では、システム制御部５０は、選択中の分類、タブ、メニュー項目をフォーカス表示する。撮影設定が選択されている場合には、撮影設定９０２、再生設定９０３、機能設定９０４、表示レベル設定９０５、マイメニュー設定９０６のうち、撮影設定９０２が赤色で、その他の分類を示すアイテムは背景色と同じ黒色系（文字は白色で）で表示される。選択されているタブとメニュー項目のフォーカス表示については、図４のＳ４２１と同じである。標準ＵＩにおいては、メニュー項目の分類の一覧もタブやメニュー項目と共に表示するので、どの分類に入るメニュー項目を設定しているのかが分かるようにフォーカス表示をする。
【００８３】
Ｓ５０３では、システム制御部５０は、選択するメニュー項目の分類を変更する操作がされたか否かを判定する。選択するメニュー項目の分類は、Ｑボタン７６が押下されたか、選択されていない撮影設定９０２、再生設定９０３、機能設定９０４、表示レベル設定９０５、マイメニュー設定９０６のいずれかのアイテムへのタッチ操作がされたか否かで判定する。選択されたメニュー項目の分類を変更すると判定すると判定した場合は、Ｓ５０６へ進み、そうでない場合は、Ｓ５０４へ進む。Ｑボタン７６が押下されると選択する分類が一つ右隣へ（９０６の場合は９０２へ）移動する。
【００８４】
Ｓ５０４では、システム制御部５０は、メイン電子ダイヤル７３の回転操作、十字キー７４の左右キーの押下がされたか否かを判定する。Ｓ５０４ではタッチ操作以外で、選択中のメニュー項目の分類において、表示するタブの変更操作がされたか否かを判定する。メイン電子ダイヤル７３の回転操作、十字キー７４の左右キーの押下がされたと判定した場合は、Ｓ５０５へ進み、そうでない場合は、Ｓ５０７へ進む。
【００８５】
Ｓ５０５では、システム制御部５０は、Ｓ５０４の操作が端のタブからさらに端のタブへと移動する指示であったか否かを判定する。タブの端からさらに端のタブへと移動する指示とは例えば、図９（ｃ）のメニューリスト９０１において、タブ２（Ｔ２）が選択された状態からメイン電子ダイヤル７３が左回転されてタブ１が選択された後の左回転する操作である。もしくは、タブ２が選択された状態からメイン電子ダイヤル７３が右回転されてタブ３、タブ４、タブ５が選択された後の右回転する操作である。つまり、現在選択中のメニュー項目の分類のタブのうち、端のタブが選択されている際に、隣りにタブが表示されていない方向にタブを変更する操作があったか否かを判定することにより、タブの変更と共に分類を変更するか否かを判定している。つまり、選択中の分類の右端のタブが選択されている場合にさらに右方向にタブの移動がされた場合には、右隣りの分類の（左端の）タブを選択する。Ｓ５０４で行われた操作が端のタブからさらに端のタブへと移動する指示であったと判定した場合は、Ｓ５０６へ進み、そうでない場合は、Ｓ５０８へ進む。
【００８６】
Ｓ５０６では、システム制御部５０は、次に表示する分類、タブ、メニュー項目の情報を取得する。Ｓ５０３でＹｅｓ、またはＳ５０５でＹｅｓと判定されて分類を変更する指示がされたと判定されたので、表示される分類、タブ、メニュー項目、カーソルのあたるメニュー項目が変わる。よって、次に表示する分類がどの分類か、次に表示する分類においてフォーカスがあたるタブはどのタブか、フォーカスのあたるタブに含まれているメニュー項目はどのメニュー項目かの情報をＳ５０６において取得する。図９（ｄ）の撮影設定のタブ６が選択されている状態で、さらに右方向へとタブを切り替える操作、または、再生設定９０３を選択する操作がされた場合には、分類が再生設定、タブがタブ１、タブ１に含まれるメニュー項目８１９〜８２４に関する情報を取得する。Ｓ５０６において次に表示する分類、タブ、メニュー項目の情報を取得すると、Ｓ５０１へ進み、取得した情報に基づいてメニューリストを表示する。図９（ｄ）の撮影設定のタブ６が選択されている状態から、選択するタブを右方向に移動すると図９（ｅ）に示すメニューリスト９０１を表示する。図９（ｅ）に示すメニューリスト９０１では、撮影設定９０２の右にある再生設定９０３、再生設定のうち左端にあるタブ１にフォーカスが当たり、タブ１に含まれるメニュー項目８１９〜８２４が表示される。さらに、メニュー項目８１９にカーソル８２５が当たった状態で表示されるが、カーソル８２５の当たるメニュー項目は直前に再生設定のタブ１を表示した時に選択されていたメニュー項目でもよいし、一番上のメニュー項目でもよい。メニュー項目の分類もタブも、直前に選択されていた分類とタブから見てＳ５０５で判定された指示の方向にあるものが選択される。すなわち、ユーザは撮影設定の端のタブまで到達した後、同じ分類内でタブを移動するための操作と同じ操作（メイン電子ダイヤル７３がの回転など）を行えば、タブの移動だけでなく分類の移動まで行うことができる。よって、メニューリストでの操作になれているユーザは、タブを切り替える操作であるダイヤル操作、またはキー操作を何回か行えば、素早く所望のメニュー項目を表示させることができる。
【００８７】
Ｓ５０７では、システム制御部５０は、選択されていないタブへのタッチ操作がされたか否かを判定する。Ｓ５０４でもタブの切り替え操作がされたか否かを判定したが、Ｓ５０７においては、タッチ操作でのタブの切り替え操作がされたか否かを判定する。タッチ操作ではタッチされたタブが選択されるので、Ｓ５０４の時とは異なり、端のタブからさらに端のタブへと切り替える指示をすることはできないので、Ｓ５０５の判定を行わずにＳ５０８へと進む。
【００８８】
Ｓ５０８では、システム制御部５０は、図４のＳ４２３と同様に、次に表示するタブ、メニュー項目の情報を取得する。
【００８９】
Ｓ５０９〜Ｓ５１４の処理は、図４のＳ４２４〜Ｓ４２９の処理と同様の処理である。やさしいＵＩでの処理を示した図４では分類にマイメニューがないが、標準ＵＩのメニューリストではマイメニューが表示される。マイメニューに表示するメニュー項目はユーザが設定することができ、分類としてマイメニュー設定９０６を選択することで表示させることができる。表示レベル設定や撮影設定からのタブの移動でも、マイメニュー設定へと遷移することができる。また、標準ＵＩにおいてもフォーカスを当てる際の色は、分類毎にやさしいＵＩの時と同じなので、やさしいＵＩから標準ＵＩにステップアップしたユーザは分類の認識をしやすい。
【００９０】
Ｓ５１５では、システム制御部５０は、メニューボタン７７が押下されたか否かを判定する。メニューボタン７７が押下されたと判定した場合はメニュー画面の標準ＵＩ表示処理を終了し、そうでない婆には、Ｓ５０１へ戻る。標準ＵＩのメニューリストが表示されている状態でメニューボタン７７が押下されると、撮影画面へと遷移する。なお、電源のＯＦＦや再生画面の表示等によってもメニュー画面の標準ＵＩ表示処理は終了する。
【００９１】
以上、説明した実施形態によれば、ユーザはメニューリストの表示においてやさしいＵＩと標準ＵＩとを切り替えることができるので、メニューリストについて習熟しているユーザにとっても、そうでないユーザにとっても操作性が良くなる。標準ＵＩの場合には、メニュー画面において、少ない操作ですばやく所望のメニュー項目を選択できる。一方で、やさしいＵＩを選択した場合には、メニュー画面を表示した際に分類の選択した後は、標準ＵＩのようにタブの移動をしても表示される分類は変わらないので、ユーザがタブの移動をしている間に意図せず分類までもが変わってしまうことがない。やさしいＵＩにおいて、現在とは異なる分類のメニュー項目を表示するには、もう一度分類を選択する画面に戻る操作をした上で、分類を選択し直す必要がある。よって、ユーザは選択する分類が変わる毎にこれから設定変更しようとするメニュー項目がどのようなメニュー項目なのかを認識した上でメニュー項目の設定をすることができる。
【００９２】
また、やさしいＵＩにおいても標準ＵＩにおいても、メニューリストにおけるメニュー項目の並び順や名称は同じであり、さらにメニュー項目を確定した後に表示される設定画面で表示される設定候補も同じである。よって、ユーザはメニュー項目の並び順や名称に惑うことなく、やさしいＵＩから標準ＵＩへとステップアップすることができる。
【００９３】
やさしいＵＩにおいては、メニューリストを表示した状態から撮影画面に戻るまでに、メニューボタンを選択（Ｓ４３０）した後、分類選択画面を一度経由するようにしている。よって、図８（ａ）のやさしいＵＩのメニューリスト８０１では、メニューボタン８２７を表示し、ユーザが分類選択画面に戻りやすいようにしている。一方で、図９（ａ）の標準ＵＩのメニューリスト９０１では、メニューボタンは表示しないので、例えば図９（ｅ）のメニュー項目８２４の下にはもう一行分メニュー項目を表示することができる。しかしながら、標準ＵＩにおいて、やさしいＵＩよりもより多くのメニュー項目を表示できるからといって表示してしまうと、やさしいＵＩと標準ＵＩとでメニュー項目の並び順が変わってしまう。よって、やさしいＵＩから標準ＵＩにステップアップした時に、各タブに表示されるメニュー項目が変わらないように、標準ＵＩにおいてやさしいＵＩと同じ並びになるようにメニュー項目を表示している。なお、図９（ａ）のメニューリストにおいて、メニューボタン７７を押下すれば、撮影画面へと遷移することができるが、メニューボタン７７以外の操作でもメニューリストから他の画面へと遷移することができるので図９（ａ）においてメニューボタンは表示しない。図７（ａ）〜（ｈ）においても同様にメニューボタンは表示しない。
【００９４】
なお、本実施形態では、分類毎にフォーカスをする際の色を変えることを説明したが、フォーカス表示は必ずしも、分類毎に変えなくてもよく、黒色や点滅等で表現してもよい。
【００９５】
また、メニューリスト及びタブの並び方は、メニューリストが縦方向、タブが横方向に並んでいる場合について説明したが、この限りではなく、タブが縦方向にならんでいてもよい。ただし、やさしいＵＩにおいても標準ＵＩにおいても、分類の並ぶ方向と、タブの並ぶ方向は同じ方向である方がよい。標準ＵＩにおいては、選択するタブを変更する方向に、隣りの分類のタブ及び分類を示すアイテムが並んでいた方が直感的にタブの切り替えができ、さらにタブの移動方向に分類も変わるので分類が切り替わったことも分かりやすい。やさしいＵＩにおいては、最初に表示される分類選択画面において分類が並ぶ方向に分類選択後のメニューリストにおいてもタブを並べて表示した方がタブと分類を示すアイテムの方向とを関連付けて覚えることができる。分類を示すアイテムもタブも並び順（並ぶ方向、選択される順番の方向）は、同じにした方がやさしいＵＩから標準ＵＩにステップアップした時に分かりやすい。
【００９６】
また、標準ＵＩにおいてもマイメニューが設定されていない場合には、マイメニュー設定９０６は表示されない。
【００９７】
なお、やさしいＵＩにおいて、分類のうち端のアイテムからさらに端へと選択するアイテムを変更する操作がされた場合に、同じ分類の中の他端のアイテムを選択することを説明したが必ずしも他端のアイテムでなくてもよい。つまり、選択するアイテムを切り替えずにしたり、もう一度さらに端へと選択するアイテムを変更する操作がされたら他端のアイテムを選択したりしてもよい。また、端のアイテムが選択されている時に、端とは反対方向（すなわち、右端のアイテムが選択されている時に左方向へアイテムを移動する操作）がされた場合には、やさしいＵＩにおいても標準ＵＩにおいても共に、左隣りのアイテムが選択される。
【００９８】
なお、上述した実施形態ではメニュー項目及びメニューリストでの説明をしたが、文字作成ツールや表作成ツールにおける機能を示すアイテムを表示する際にも適用可能である。編集可能な機能が複数のタブに分かれている場合に、標準ＵＩであればマウスのホイール回転やキー操作でタブの移動を可能とし、やさしいＵＩの時には簡単に他のタブへと移動できないようにする。例えば、マウスのホイール回転操作を何度も行って端のアイテムからさらに端のアイテムへと移動する指示をした場合には、タブが変わることを示すガイダンスを表示したり、タブを選択する画面へと遷移するようにする。
【００９９】
なお、システム制御部５０が行うものとして説明した上述の各種の制御は１つのハードウェアが行ってもよいし、複数のハードウェアが処理を分担することで、装置全体の制御を行ってもよい。
【０１００】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１０１】
また、上述した実施形態においては、本発明をデジタルカメラ１００に適用した場合を例にして説明したが、これはこの例に限定されず、複数の項目を表示する際に、複数の分類に項目を分けて表示をするような電子機器であれば適用可能である。すなわち、本発明は携帯電話端末や携帯型の画像ビューワ、デジタルフォトフレーム、音楽プレーヤー、ゲーム機、電子ブックリーダー、タブレットＰＣ、表示部を有する家電装置などに適用可能である。さらに、画像やアイコンを表示可能なデジタルカメラ、スマートフォン、タブレットＰＣ、表示パネル等や、投影装置等の装置にも適用可能である。また、デスクトップＰＣのディスプレイ、ＨＤＭＩ（登録商標）出力やＡＶ出力等の外部機器に表示を出力するように制御可能な表示制御装置であっても可能である。
【０１０２】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2018097617.tif 000003
【図２】
2018097617.tif 000004
【図３】
2018097617.tif 000005
【図４】
2018097617.tif 000006
【図５】
2018097617.tif 000007
【図６】
2018097617.tif 000008
【図７】
2018097617.tif 000009
【図８】
2018097617.tif 000010
【図９】
2018097617.tif 000011